(57)【要約】【課題】入力装置から読み込んだ画像を、画像単位で送受信し、ページ送信の確認を取ることができるネットワークシステムの通信制御方法およびネットワーク端末装置を提供することを目的としている。【解決手段】送信側と受信側の間に１つ以上のＭＴＡが中継装置として介在する場合でも、Ｄ−ＳＭＴＰ機能を利用したファクシミリ通信ができ、ページ単位に画情報送信の確認を行うことができるので、非常に便利であるという効果を得る。【選択図】　　　　図２
2004134838.tif 000002
【特許請求の範囲】
【請求項１】
画像入力手段から読み込んだ画像データを、電子メール転送プロトコルを適用して、送信装置から受信装置へ送信するとともに、送信装置と受信装置との間に１つ以上の中継装置が介在するネットワークシステムの通信制御方法において、
送信装置は、１つの電子メール通信動作において、読み込んだ１つの画像単位の画像データを受信装置へ送信するとともに、受信装置からの応答信号を受信するのを待って転送の確認を行い、
受信装置は、受信した画像データの受信結果をあらわす応答信号を送信装置へ送信することを特徴とするネットワークシステムの通信制御方法。
【請求項２】
画像入力手段から読み込んだ画像データを、電子メール転送プロトコルを適用して、送信装置から受信装置へ送信するとともに、送信装置と受信装置との間に１つ以上の中継装置が介在するネットワークシステムの通信制御方法において、
送信装置と受信装置との間で電子メール転送のための接続が確立した後、画像を転送する前段階で、受信装置は、送信装置へ画像処理能力情報を通知し、
送信装置は、通知された受信装置の画像処理能力情報に基づいて、送信する画像データの画像モードを読み込んだ画像単位に設定し、１つの電子メール通信動作において、送信対象となる１つの画像単位の画像データの上記画像モードを受信装置へ転送した後に、当該画像データを受信装置へ送信するとともに、受信装置からの応答信号を受信するのを待って転送の確認を行い、
受信装置は、受信した画像データの受信結果をあらわす応答信号を送信装置へ送信することを特徴とするネットワークシステムの通信制御方法。
【請求項３】
画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置において、
送信時は、１つの電子メール通信動作において、読み込んだ１つの画像単位の画像データを受信装置へ送信するとともに、受信装置からの応答信号を受信するのを待って転送の確認を行うことを特徴とするネットワーク端末装置。
【請求項４】
画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置において、
送信時、受信装置との間で電子メール転送のための接続が確立した後、画像を転送する前段階で、受信装置より通知された画像処理能力情報に基づいて、送信する画像データの画像モードを読み込んだ画像単位に設定し、１つの電子メール通信動作において、送信対象となる１つの画像単位の画像データの上記画像モードを受信装置へ転送した後に、当該画像データを受信装置へ送信するとともに、受信装置からの応答信号を受信するのを待って転送の確認を行うことを特徴とするネットワーク端末装置。
【請求項５】
画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置において、
受信時、送信装置との間で電子メール転送のための接続が確立した後、画像を転送する前段階で、自端末の画像処理能力情報を送信装置へ通知し、
受信した画像データの受信結果をあらわす応答信号を送信装置へ送信することを特徴とするネットワーク端末装置。
【発明の詳細な説明】
【０００１】
【発明の属する技術分野】
本発明は、画像入力手段から読み込んだ画像データを、電子メール転送プロトコルを適用して、送信装置から受信装置へ送信するとともに、送信装置と受信装置との間に１つ以上の中継装置が介在するネットワークシステムの通信制御方法、および、画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置に関する。
【０００２】
【従来の技術】
インターネットの普及により、通信を行う際、網として、従来のような公衆回線（ＰＳＴＮやＩＳＤＮ）だけを用いるのでなく、インターネットを用いる通信も広まりつつある。これはインターネットを用いることによる料金削減のメリットを活かそうとするものである。インターネットに接続可能な端末機器も増え、ファクシミリなどの画像の送受信を行う機器にもあてはまる。ＩＴＵ−Ｔ勧告Ｔ．３７や勧告Ｔ．３８などのインターネットファクスの標準規格も存在し、対応製品も増加している（特許文献１参照）。
【０００３】
勧告Ｔ．３７のインターネットファクスは、勧告Ｔ．３８のインターネットファクス（リアルタイム型インターネットファクス）に比べて、パーソナルコンピュータ装置との親和性が高いというメリットがある一方、即時性などに問題があった。そこで、機器がＳＭＴＰの受信機能をサポートし、中継（ＭＴＡ）を介さず、送信側からのＳＭＴＰリクエストを直接解釈し、受信する機能が製品として出始めている（いわゆる、「ＤｉｒｅｃｔＳＭＴＰ（Ｄ−ＳＭＴＰ）」モード）。
【０００４】
しかしながら、イントラネットなどのファイアウォールの関係から、どうしもＭＴＡを介在する必要がほとんどであり、このような製品は対応することができない。
【０００５】
【特許文献１】
特開２００２−０２７１９３号公報
【０００６】
【発明が解決しようとする課題】
一方、通常のファクシミリ通信では、何ページ送ったか、何ページまで送れて、送れなかったページはいくつあるのかなどを、送信側ユーザが確認できることも重要な要素である。特に、通信エラーが生じた場合、送信完了できたページ数を知ることは、同一文書を再送希望する場合に非常に重要なものである。
【０００７】
しかしながら、通常の電子メールの通信プロトコルでは、ページの概念がないため、送信側ユーザは、送信完了したページ数などを確認できないと言う事態を生じる。
【０００８】
本発明は、かかる実情に鑑みてなされたものであり、入力装置から読み込んだ画像を、画像単位で送受信し、ページ送信の確認を取ることができるネットワークシステムの通信制御方法およびネットワーク端末装置を提供することを目的としている。
【０００９】
【課題を解決するための手段】
本発明は、画像入力手段から読み込んだ画像データを、電子メール転送プロトコルを適用して、送信装置から受信装置へ送信するとともに、送信装置と受信装置との間に１つ以上の中継装置が介在するネットワークシステムの通信制御方法において、送信装置は、１つの電子メール通信動作において、読み込んだ１つの画像単位の画像データを受信装置へ送信するとともに、受信装置からの応答信号を受信するのを待って転送の確認を行い、受信装置は、受信した画像データの受信結果をあらわす応答信号を送信装置へ送信するようにしたものである。
【００１０】
また、画像入力手段から読み込んだ画像データを、電子メール転送プロトコルを適用して、送信装置から受信装置へ送信するとともに、送信装置と受信装置との間に１つ以上の中継装置が介在するネットワークシステムの通信制御方法において、送信装置と受信装置との間で電子メール転送のための接続が確立した後、画像を転送する前段階で、受信装置は、送信装置へ画像処理能力情報を通知し、送信装置は、通知された受信装置の画像処理能力情報に基づいて、送信する画像データの画像モードを読み込んだ画像単位に設定し、１つの電子メール通信動作において、送信対象となる１つの画像単位の画像データの上記画像モードを受信装置へ転送した後に、当該画像データを受信装置へ送信するとともに、受信装置からの応答信号を受信するのを待って転送の確認を行い、受信装置は、受信した画像データの受信結果をあらわす応答信号を送信装置へ送信するようにしたものである。
【００１１】
また、画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置において、送信時は、１つの電子メール通信動作において、読み込んだ１つの画像単位の画像データを受信装置へ送信するとともに、受信装置からの応答信号を受信するのを待って転送の確認を行うようにしたものである。
【００１２】
また、画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置において、送信時、受信装置との間で電子メール転送のための接続が確立した後、画像を転送する前段階で、受信装置より通知された画像処理能力情報に基づいて、送信する画像データの画像モードを読み込んだ画像単位に設定し、１つの電子メール通信動作において、送信対象となる１つの画像単位の画像データの上記画像モードを受信装置へ転送した後に、当該画像データを受信装置へ送信するとともに、受信装置からの応答信号を受信するのを待って転送の確認を行うようにしたものである。
【００１３】
また、画像入力手段から読み込んだ画像データを、電子メール転送プロトコルを適用して、送信装置から受信装置へ送信するとともに、送信装置と受信装置との間に１つ以上の中継装置が介在するネットワークシステムを構成するネットワーク端末装置において、受信時、送信装置との間で電子メール転送のための接続が確立した後、画像を転送する前段階で、自端末の画像処理能力情報を送信装置へ通知し、受信した画像データの受信結果をあらわす応答信号を送信装置へ送信するようにしたものである。
【００１４】
【発明の実施の形態】
以下、添付図面を参照しながら、本発明の実施の形態を詳細に説明する。
【００１５】
図１は、本発明の一実施例にかかるネットワークシステムを示している。
【００１６】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１７】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１８】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１９】
また、ネットワークファクシミリ装置ＦＸは、スキャナ（後述）を用いて読み取って得た画像データや画情報や各種レポートなどを電子メールを用いて転送（送受信）するための電子メール処理機能、および、アナログ公衆回線網ＰＳＴＮに接続し、この公衆網を伝送路として用いてグループ３ファクシミリ伝送手順による画情報通信を行うファクシミリ通信機能を備えている。
【００２０】
図２は、ネットワークファクシミリ装置ＦＸの構成例を示している。
【００２１】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２５】
網制御装置１１は、このネットワークファクシミリ装置ＦＸをアナログ公衆回線網ＰＳＴＮに接続するためのものであり、自動発着信機能を備えている。
【００２６】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２８】
また、網制御装置１１とグループ３ファクシミリモデム１０との間のデータのやりとりは、直接行なわれている。
【００２９】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ　Ｍａｉｌ　Ｔｒａｎｓｆｅｒ　Ｐｒｏｔｏｃｏｌ）またはＥＳＭＴＰ（ＳＭＴＰ　Ｓｅｒｖｉｃｅ　Ｅｘｔｅｎｓｉｏｎｓ；ＲＦＣ１４２５、ＲＦＣ２８２１等参照）という通信プロトコルが適用される。
【００３０】
また、各端末がメールサーバ装置ＳＭに対して、ユーザ宛の電子メールの受信確認や取得要求などのために適用するプロトコルとしては、いわゆるＰＯＰ（Ｐｏｓｔ　Ｏｆｆｉｃｅ　Ｐｒｏｔｏｃｏｌ）などを適用することができる。
【００３１】
また、ＴＣＰ／ＩＰ，ＳＭＴＰ，ＥＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰ，ＥＳＭＴＰはＲＦＣ１４２５，ＲＦＣ２８２１、電子メールの形式は、ＲＦＣ２８２２，ＲＦＣ１５２１，ＲＦＣ１５２２（ＭＩＭＥ（Ｍｕｌｔｉ　Ｐｕｒｐｏｓｅ　Ｍａｉｌ　Ｅｘｔｅｎｓｉｏｎ）形式）などでそれぞれ規定されている。
【００３２】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ、電子メール転送プロトコルを利用して送信するとともに、アナログ公衆回線網ＰＳＴＮを介して他のグループ３ファクシミリ装置より受信した画情報を、そのときに指定されたサブアドレスに対応したユーザに対して、電子メール転送プロトコルを利用して転送したり、あるいは、ローカルエリアネットワークＬＡＮのワークステーション装置ＷＳより（電子メールで）受信した画情報を、指定されたアナログ公衆回線網ＰＳＴＮのグループ３ファクシミリ装置へ転送する転送サービス機能等を備えている。
【００３３】
また、自端末宛に受信した電子メールについては、本文情報に配置される画情報を取り出して、記録出力するようにしている。
【００３４】
ここで、電子メールを用いて画情報を送信する場合、画情報をＴＩＦＦ−ＦＸの画像データに変換する。このような画像データはバイナリデータであり、ＳＭＴＰモードでＭＴＡ間を転送される場合には、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３５】
また、ＥＳＭＴＰモードでＭＴＡ間を転送される場合には、電子メールで送信できるデータが７ビットのキャラクタコードに制限されず、８ビットデータを含ませることができるので、ＭＩＭＥ変換しない状態で画情報を送信することができる。
【００３６】
さらに、上述したＴＩＦＦ−ＦＸの画像データは、画像の属性（紙サイズ、解像度、圧縮方式など）を含んだヘッダ部と実際の画像を含んだデータ部とから構成されるため、画像データよりもデータ量が増え、その結果、通信時間が長くなると言う事態を生じる。
【００３７】
そこで、このような事態を解消するためには、電子メールのデータを送信する前の段階で、送信する画像データの紙サイズ、解像度、圧縮方式などの画像属性情報を通知し、電子メールのデータとしては、画情報のみをＭＩＭＥ変換したものを送信するようにすればよい。
【００３８】
図３〜図６は、電子メールのデータを送信する前の段階で、受信側から送信側へ画像処理能力等を通知するとともに、送信側から受信側へ送信する画像データの画像モードを通知する場合のネットワークファクシミリ装置ＦＸの電子メール送信時の動作の一例を示しておいる。この場合、Ｄ−ＳＭＴＰモードの電子メール転送動作を行っている。また、送信する画情報のページ数が２ページの場合である。また、送信側と受信側との間には、１つの中継装置（ＭＴＡ）が介在している場合である。
【００３９】
また、図７は、図３〜図６に示した送信側とＭＴＡとの間でやりとりされるＳＭＴＰプロトコルレベルのコマンドシーケンスの一例を示している。また、ＭＴＡと受信側との間、または、ＭＴＡが複数介在する場合のＭＴＡとＭＴＡとの間のコマンドシーケンスも、ドメイン名を除いて、図７に示したものとほぼ同一である
【００４０】
また、受信側が送信側へ応答する信号のうち、最初の３桁の数字（２２０，２５０，３４５等）が必須の情報要素であり、それに続く英数文字列は、送信側ユーザへのコメントや付加的に通知する情報等をあらわしており、括弧書きでその内容の説明を加えている。ただし、「２５０−ｍｅｓｓａｇｅ」のように、「−」付きの信号「２５０」は、拡張フォーマットの信号であり、「ｍｅｓｓａｇｅ」の部分（図７の行番号３等を参照）まで含んで有意な内容をあらわしている。
【００４１】
まず、送信側は、中継のＭＴＡへ接続要求し、それにより、ＭＴＡは、信号「２２０（＝サービスレディ）　ｖ．ｃｏｍ（＝ホスト名）」を送信側へ応答する。
【００４２】
送信側は、この信号「２２０　ｖ．ｃｏｍ」を受信すると、ＥＳＭＴＰの開始コマンドであるコマンド「ＥＨＬＯ　ｕ．ｃｏｍ（＝ホスト名）」をＭＴＡへ送信する。これにより、ＭＴＡは、信号「２５０−ｍｅｓｓａｇｅ，２５０−Ｘ−ＲＥＬＡＹ」を送信側へ応答する。ここで、「Ｘ−ＲＥＬＡＹ」は、Ｄ−ＳＭＴＰモードで、能力交換及びページ単位の通信を行う機能（以下、「拡張Ｄ−ＳＭＰ機能」という）を有している旨を通知するためのキーワードである。また、送信側は、このキーワード「Ｘ−ＲＥＬＡＹ」を受信すると、ＭＴＡが拡張Ｄ−ＳＭＰ機能を有している旨を認識する。
【００４３】
次いで、送信側は、コマンド「ＭＡＩＬ　ＦＲＯＭ：　＜ｓｎｄ＠ｕ．ｃｏｍ＞」をＭＴＡへ送信し、送信元のメールアドレスを通知する。ＭＴＡは、信号「２５０　＜ｓｎｄ＠ｕ．ｃｏｍ（＝送信元のメールアドレス）＞．．．　Ｓｅｎｄｅｒ　ｏｋ（＝確認メッセージ）」を送信側へ応答する。
【００４４】
次に、送信側は、コマンド「ＲＣＰＴ　ＴＯ：　＜ｒｃｖ＠ｗ．ｃｏｍ＞（＝宛先メールアドレス）　Ｘ−ＲＥＬＡＹ＝ＩＦＡＸ（＝オプション）」をＭＴＡへ送信し、電子メールの宛先を通知するとともに、コマンドのオプション値として上述したキーワード「Ｘ−ＲＥＬＡＹ」を指定し、拡張Ｄ−ＳＭＰ機能の通信を行う旨をＭＴＡへ通知する。
【００４５】
ＭＴＡは、コマンド「ＲＣＰＴ　ＴＯ：　＜ｒｃｖ＠ｗ．ｃｏｍ＞　Ｘ−ＲＥＬＡＹ＝ＩＦＡＸ」を受信すると、コマンド「ＲＣＰＴ　ＴＯ：　＜ｒｃｖ＠ｗ．ｃｏｍ＞」より宛先の電子メールアドレスを認識するとともに、オプション「Ｘ−ＲＥＬＡＹ＝ＩＦＡＸ」より、拡張Ｄ−ＳＭＰ機能の通信を行う旨を指定したことを認識する。
【００４６】
それにより、ＭＴＡは、コマンド「ＲＣＰＴ」への応答を送信側へ送信する前に、指定された宛先の受信側に対して接続要求する。
【００４７】
また、それにより、受信側は、信号「２２０（＝サービスレディ）　ｗ．ｃｏｍ（＝ホスト名）」をＭＴＡへ応答する。
【００４８】
ＭＴＡは、この信号「２２０　ｗ．ｃｏｍ」を受信すると、ＥＳＭＴＰの開始コマンドであるコマンド「ＥＨＬＯ　ｖ．ｃｏｍ」を受信側へ送信する。これにより、受信側は、信号「２５０−ｍｅｓｓａｇｅ，２５０−Ｘ−ＲＥＬＡＹ」をＭＴＡへ応答する。また、ＭＴＡは、キーワード「Ｘ−ＲＥＬＡＹ」を受信すると、受信側が拡張Ｄ−ＳＭＰ機能を有している旨を認識する。
【００４９】
次いで、ＭＴＡは、コマンド「ＭＡＩＬ　ＦＲＯＭ：　＜ｓｎｄ＠ｕ．ｃｏｍ＞」を受信側へ送信し、送信元（送信側）のメールアドレスを通知する。ＭＴＡは、信号「２５０　＜ｓｎｄ＠ｕ．ｃｏｍ＞．．．　Ｓｅｎｄｅｒ　ｏｋ」をＭＴＡへ送信する。
【００５０】
次に、ＭＴＡは、コマンド「ＲＣＰＴ　ＴＯ：　＜ｒｃｖ＠ｗ．ｃｏｍ＞　Ｘ−ＲＥＬＡＹ＝ＩＦＡＸ」を受信側へ送信し、電子メールの宛先を通知するとともに、上述したキーワード「Ｘ−ＲＥＬＡＹ」を指定し、拡張Ｄ−ＳＭＰ機能の通信を行う旨を受信側へ通知する。
【００５１】
それにより、受信側は、信号「２５０　＜ｒｃｖ＠ｗ．ｃｏｍ＞　Ｒｅｃｉｐｅｎｔ　ｏｋ　＋　能力」をＭＴＡへ応答する。
【００５２】
ここで、オプション「能力」の記述方法は、例えば、ＲＦＣ２８７９に記載された方法（ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｆａｘ−ｅｓｍｔｐ−ｃｏｎｎｅｇ−０３．ｔｘｔを参照；２００２年１０月３日アクセス可能）や、図７の行番号７に示したような拡張信号「２５０−Ｘ−ＣＡＰＡＢＩＬＩＴＹ」を用いる方法などを適用することができる。
【００５３】
図７の行番号７では、「２５０−Ｘ−ＣＡＰＡＢＩＬＩＴＹ　ｐａｐｅｒ−ｓｉｚｅ：Ａ３／Ｂ４／Ａ４」により使用可能な用紙サイズを通知し、「２５０−Ｘ−ＣＡＰＡＢＩＬＩＴＹ　ｒｅｓｏｌｕｔｉｏｎ：４００ｄｐｉ／２００ｄｐｉ（ｄｐｉ＝（ドット／２４．５ｍｍ））」により使用可能な画像解像度を通知し、「２５０−Ｘ−ＣＡＰＡＢＩＬＩＴＹ　ｃｏｍｐｒｅｓｓｉｏｎ：ＭＭＲ／ＭＲ／ＭＨ」により使用可能な符号化方式を通知し、「２５０　Ｘ−ＣＡＰＡＢＩＬＩＴＹ　ｒａｗ−ｄａｔａ　ｆｏｒ　ｃｏｍｐｒｅｓｓｉｏｎ」により符号化データをそのままの状態で（すなわち、ＴＩＦＦ−ＦＸのヘッダ情報を付加せずに）通信する機能を備えている旨を通知している。
【００５４】
同じ内容をＲＦＣ２８７９に記載された方法で記述すると、図８に示したような内容となる。ただし、上記の「ｒａｗ−ｄａｔａ　ｆｏｒ　ｃｏｍｐｒｅｓｓｉｏｎ」に相当する内容はＲＦＣ２８７９では標準化されていないため、図８の内容には含まれていない。
【００５５】
そして、ＭＴＡは、受信側より信号「２５０　＜ｒｃｖ＠ｗ．ｃｏｍ＞　Ｒｅｃｉｐｅｎｔ　ｏｋ　＋　能力」を受信すると、受信した能力オプションの内容を含む信号「２５０　＜ｒｃｖ＠ｗ．ｃｏｍ＞　Ｒｅｃｉｐｅｎｔ　ｏｋ　＋　能力」を、送信側へ応答する。
【００５６】
これにより、送信側は、受信側が拡張Ｄ−ＳＭＰ機能を含む同一の通信機能を備えている旨を認識し、また、受信側の能力の内容を認識する。また、これ以降、ＭＴＡが介在した通信パス上で拡張Ｄ−ＳＭＴＰ機能を用いるため、コマンドに対応したレスポンスを受信するまでの時間を規定するための受信タイマの時間を、通常の値より長い値に延長する。
【００５７】
そして、送信画像データの１ページ目について、画像属性（例えば、用紙サイズがＡ３で、解像度が４００ｄｐｉで、符号化方式はＭＭＲで、ｒａｗ−ｄａｔａ）を決定し、電子メールのデータを送信開始すること、および、送信画像データの画像属性値を通知するために、コマンド「ＤＡＴＡ　Ｘ−ＲＥＬＡＹ＝ＩＦＡＸ：ＤＡＴＡ＝（画像属性値）」をＭＴＡへ送信する。画像属性値の記述方法は、例えば、「ＤＡＴＡ＝（ｐａｐｅｒ−ｓｉｚｅ：Ａ３，　ｒｅｓｏｌｕｔｉｏｎ：４００ｄｐｉ，　ｃｏｍｐｒｅｓｓｉｏｎ：ＭＭＲ，　ｒａｗ−ｄａｔａ）」などである。
【００５８】
ＭＴＡは、送信側から受信したコマンド「ＤＡＴＡ　Ｘ−ＲＥＬＡＹ＝ＩＦＡＸ：ＤＡＴＡ＝（画像属性値）」を受信側へ転送する。これにより、受信側では、画像属性値の値を保存するとともに、画像受信を準備する。
【００５９】
そして、受信側は、信号「３５４　Ｅｎｔｅｒ　ｍａｉｌ，　ｅｎｄ　ｗｉｔｈ　”．”　ｏｎ　ａ　ｌｉｎｅ　ｂｙ　ｉｔｓｅｌｆ（＝確認メッセージ）」をＭＴＡへ送信し、ＭＴＡは、信号「３５４　Ｅｎｔｅｒ　ｍａｉｌ，　ｅｎｄｗｉｔｈ　”．”　ｏｎ　ａ　ｌｉｎｅ　ｂｙ　ｉｔｓｅｌｆ」を送信側へ送信する。
【００６０】
これにより、送信側は、通知した画像属性（Ａ３，　４００ｄｐｉ，　ＭＭＲ）の１ページ目の送信画情報の送信データを、ＭＩＭＥ変換せずにそのままの状態（ｒａｗ−ｄａｔａのまま）でＭＴＡへ送信し、当該ページの最後まで送信すると、改行コードの後に、「．（ピリオド）」を送信して、１ページ目の画情報の送信の終了を通知する。
【００６１】
ＭＴＡは、送信側より受信した送信データを、受信側へ転送する。当該ページの最後までの転送を終了すると、改行コードの後に、「．（ピリオド）」を送信して、１ページ目の画情報の送信の終了を通知する。
【００６２】
受信側では、１ページ目の画情報の受信が正常に終了した場合には、信号「２５０　ＺＺＸ００１　Ｍｅｓｓａｇｅ　ａｃｃｅｐｔｅｄ（＝受信確認コメント）」をＭＴＡへ応答する。また、受信側では、受信完了した画情報を、既に保存している画像属性のパラメータを適用して、ローカル的に処理することができる。
【００６３】
それにより、ＭＴＡは、信号「２５０　ＺＺＹ００１　Ｍｅｓｓａｇｅ　ａｃｃｅｐｔｅｄ」を送信側へ応答する。これにより、送信側では、１ページ目の画情報が適切に受信側で受信された旨を確認する。
【００６４】
また、このときには、次のページ（２ページ目）の送信を行うので、送信側は、コマンド「ＭＡＩＬ　ＴＯ」を送信する段階から、送信動作を繰り返し行う。また、２ページ目以降の通信動作においては、コマンド「ＲＣＰＴ　ＴＯ」に、キーワード「Ｘ−ＲＥＬＡＹ＝ＩＦＡＸ」を含めない。また、コマンド「ＲＣＰＴ　ＴＯ」に対応した応答信号「２５０」には、能力オプションを含めない。
【００６５】
そして、最終ページである２ページ目の送信を終了し、受信側より信号「２５０」を受信すると、送信側は、コマンド「ＱＵＩＴ　Ｘ−ＲＥＬＡＹ＝ＩＦＡＸ」をＭＴＡへ送信し、ＭＴＡは、コマンド「ＱＵＩＴ　Ｘ−ＲＥＬＡＹ＝ＩＦＡＸ」を受信側へ送信する。
【００６６】
それにより、受信側は、信号「２２１　ｗ．ｃｏｍ　ｃｌｏｓｉｎｇ　ｃｏｎｎｅｃｔｉｏｎ（＝コネクションの終了確認コメント）」をＭＴＡへ応答し、これによって、ＭＴＡと受信側との間の接続が切断される。
【００６７】
また、ＭＴＡは、信号「２２１　ｗ．ｃｏｍ　ｃｌｏｓｉｎｇ　ｃｏｎｎｅｃｔｉｏｎ」を送信側へ応答し、それによって、送信側とＭＴＡとの間の接続が切断される。そして、それによって、送信側から受信側への画情報の通信動作が終了する。
【００６８】
また、送信側と受信側とで、互いに同一機能を備えていると認識した場合には、１ページ分の画情報の送信終了から次のページの画情報の送信までの信号のやりとりを一部省略することができる。
【００６９】
例えば、図７の行番号１２から行番号１５の部分、すなわち、送信側からのコマンド「ＭＡＩＬ　ＦＲＯＭ」の送信から、コマンド「ＲＣＰＴ　ＴＯ」への受信側からの信号「２５０」の応答までの部分は省略可能である。
【００７０】
このようにして、本実施例では、送信側と受信側の間に１つ以上のＭＴＡが中継装置として介在する場合でも、Ｄ−ＳＭＴＰ機能を利用したファクシミリ通信ができ、ページ単位に画情報送信の確認を行うことができるので、非常に便利である。
【００７１】
したがって、例えば、ネットワークファクシミリ装置がイントラネットなどのファイアウォールが介在するようなネットワーク環境で使用されており、送信装置となるネットワークファクシミリ装置と受信装置となるネットワークファクシミリ装置とを直接的に接続できないような状況であったとしても、本実施例のようなシステムを適用することで、送信装置と受信装置との間でＤ−ＳＭＴＰ通信を行うことができることとなり、より効率的なインターネットファクシミリ通信を実現することができる。
【００７２】
また、画像を転送する前に、送受信装置間で機器能力を交換し、それを用いて画情報送信を行うようにしているので、受信側の機器能力に合致した画像モードで送信画像を作成することができ、より品質の高い画像を送信することができる。
【００７３】
また、ＴＩＦＦ−ＦＸフォーマットのヘッダ情報を除いた画像データそのものを、送信する画像データとして適用することができるので、通信時間を短縮することができ、ネットワークのトラフィックの増大を抑制することができる。
【００７４】
図９および図１０は、この場合の送信側の処理の一例を示している。
【００７５】
まず、中継のＭＴＡへ接続要求し（処理１０１）、ＭＴＡより信号「２２０」受信すると（処理１０２）、ＥＳＭＴＰの開始コマンドであるコマンド「ＥＨＬＯ」をＭＴＡへ送信する（処理１０３）。
【００７６】
そして、ＭＴＡより信号「２５０」を受信するかどうかを調べる（判断１０４）。判断１０４の結果がＹＥＳになるときには、受信した信号「２５０」にキーワード「Ｘ−ＲＥＬＡＹ」が含まれているかどうかを調べる（判断１０５）。
【００７７】
判断１０５の結果がＹＥＳになるときには、拡張Ｄ−ＳＭＴＰ機能を使用できる場合である。そこで、コマンドを送信してからレスポンスを受信するまでの時間を管理するためのタイマのタイマ値を延長して再設定する（処理１０６）。
【００７８】
そして、コマンド「ＭＡＩＬ　ＦＲＯＭ」をＭＴＡへ送信し、ＭＴＡより信号「２５０」を受信する（処理１０７）。
【００７９】
ここで、送信ページが１ページ目であるかどうかを調べ（判断１０８）、判断１０８の結果がＹＥＳになるときには、オプション「Ｘ−ＲＥＬＡＹ＝ＩＦＡＸ」を付加したコマンド「ＲＣＰＴ　ＴＯ」をＭＴＡへ送信し（処理１０９）、その応答信号として、信号「２５０」を受信するかどうかを調べる（判断１１０）。
【００８０】
判断１１０の結果がＹＥＳになるときには、受信側の能力を通知するオプション「能力」を受信するので、その受信したオプション「能力」の値を解析して、受信側の機器能力を認識する（処理１１１）。
【００８１】
次に、処理１１１で認識した受信側の機器能力に応じて、送信ページの画像データの画像モードを設定し、その設定した画像モードの画像属性値を含むコマンド「ＤＡＴＡ　Ｘ−ＲＥＬＡＹ＝ＩＦＡＸ：ＤＡＴＡ＝（画像属性値）」をＭＴＡへ送信する（処理１１２）。
【００８２】
次いで、ＭＴＡより信号「３４５」を受信すると（処理１１３）、そのときに設定した画像モードの送信ページの１ページ分の画像データをＭＴＡへ送信し、１ページ分の画像データの送信を終了すると、改行コードの後に、「．（ピリオド）」を送信して、１ページ目の画情報の送信の終了を通知する（処理１１４）。
【００８３】
そして、ＭＴＡより信号「２５０」を受信すると（処理１１５）、次の送信ページがあるかどうかを調べる（判断１１６）。判断１１６の結果がＹＥＳになるときには、処理１０７へ戻り、次のページの画像データの送信動作を行う。
【００８４】
また、判断１１６の結果がＮＯになるときには、コマンド「ＱＵＩＴ　Ｘ−ＲＥＬＡＹ＝ＩＦＡＸ」をＭＴＡへ送信し（処理１１７）、ＭＴＡより信号「２２１」を受信すると（処理１１８）、ＭＴＡとの接続を切断して（処理１１９）、一連の送信動作を終了する。
【００８５】
また、送信ページが１ページ目でない場合で、判断１０８の結果がＮＯになるときには、コマンド「ＲＣＰＴ　ＴＯ」をＭＴＡへ送信して、ＭＴＡより信号「２５０」を受信し（処理１２０）、処理１１２へ移行し、その送信ページについて使用する画像モードの設定を行い、画像データの送信を行う。
【００８６】
一方、コマンドＥＨＬＯに対して、ＭＴＡが信号「２５０」を応答しなかった場合で、判断１０４の結果がＮＯになるときには、拡張Ｄ−ＳＭＴＰ機能を使用することができないので、標準的なＳＭＴＰシーケンス処理へ移行する。すなわち、コマンド「ＨＥＬＯ」をＭＴＡへ送信し（処理１２１）、所定のＳＭＴＰシーケンス処理を行って画情報を送信し（処理１２２）、ＭＴＡとの接続を切断して（処理１２３）、送信動作を終了する。
【００８７】
また、コマンド「ＥＨＬＯ」の応答として、信号「２５０」を受信したが、キーワード「Ｘ−ＲＥＬＡＹ」が含まれていなかった場合で、判断１０５の結果がＮＯになるときには、コマンド「ＭＡＩＬ　ＦＲＯＭ」をＭＴＡへ送信し（処理１２４）、それ以降は、所定のＳＭＴＰシーケンス処理を行って画情報を送信し（処理１２５）、ＭＴＡとの接続を切断して（処理１２６）、送信動作を終了する。
【００８８】
また、１ページ目を送信する場合で、オプション「Ｘ−ＲＥＬＡＹ＝ＩＦＡＸ」を付加したコマンド「ＲＣＰＴ　ＴＯ」に対して、ＭＴＡが信号「２５０」を応答しなかった場合で、判断１１０の結果がＮＯになるときには、オプション「Ｘ−ＲＥＬＡＹ＝ＩＦＡＸ」を付加しないコマンド「ＲＣＰＴ　ＴＯ」をＭＴＡへ送信して、ＭＴＡより信号「２５０」を受信し（処理１２７）、それ以降は、所定のＳＭＴＰシーケンス処理を行って画情報を送信し（処理１２８）、ＭＴＡとの接続を切断して（処理１２９）、送信動作を終了する。
【００８９】
図１１，図１２、および、図１３は、ＭＴＡの処理の一例を示している。
【００９０】
送信側または１つ手前のＭＴＡ（以下、「送信側等」という）より接続要求を受信すると（処理２０１）、接続応答して、信号「２２０」を送信側等へ応答する（処理２０２）。
【００９１】
ここで、送信側等よりコマンド「ＥＨＬＯ」を受信するかどうかを調べ（判断２０３）、コマンド「ＨＥＬＯ」を受信した場合で、判断２０３の結果がＮＯになるときには、通常ＳＭＴＰシーケンス処理へ移行する（処理２０４）。
【００９２】
また、判断２０３の結果がＹＥＳになるときには、キーワード「Ｘ−ＲＥＬＡＹ」付きの信号「２５０」を送信側等へ応答し（処理２０５）、送信側等よりコマンド「ＭＡＩＬ　ＦＲＯＭ」を受信すると（処理２０６）、信号「２５０」を送信側等へ応答する（処理２０７）。
【００９３】
次に、送信側等よりコマンド「ＲＣＰＴ　ＴＯ」を受信すると（処理２０８）、そのコマンド「ＲＣＰＴ　ＴＯ」にオプション「Ｘ−ＲＥＬＡＹ＝ＩＦＡＸ」が含まれているかどうかを調べる（判断２０９）。
【００９４】
判断２０９の結果がＹＥＳになるときには、拡張Ｄ−ＳＭＴＰ機能を使用した通信動作を行う。すなわち、送信側等へ信号「２５０」を応答せずに、指定された受信側または次のＭＴＡ（以下、「受信側等」という）へ接続要求し（処理２１０）、受信側等より信号「２２０」を受信すると（処理２１１）、コマンド「ＥＨＬＯ」を送信する（処理２１３）。
【００９５】
そして、応答信号「２５０」を受信して、その信号「２５０」にキーワード「Ｘ−ＲＥＬＡＹ」が含まれているかどうかを調べる（判断２１３，２１４）。判断２１４の結果がＹＥＳになるときには、拡張Ｄ−ＳＭＴＰ機能を使用する。
【００９６】
したがって、ＭＴＡは、コマンド「ＭＡＩＬ　ＦＲＯＭ」を受信側等へ送信し、受信側等より信号「２５０」を受信し（処理２１５）、受信側等へ「ＲＣＰＴＴＯ：　＜ｒｃｖ＠ｗ．ｃｏｍ＞　Ｘ−ＲＥＬＡＹ＝ＩＦＡＸ」を送信して拡張Ｄ−ＳＭＰ機能の通信を行う旨を受信側へ通知し、受信側等より能力オプション付きの信号「２５０」を受信する（処理２１６）。
【００９７】
次に、送信側等へ、能力オプション付きの信号「２５０」を応答して（処理２１７）、電子メールデータの転送段階に移行する。
【００９８】
まず、送信側等よりコマンド「ＤＡＴＡ　Ｘ−ＲＥＬＡＹ＝ＩＦＡＸ：ＤＡＴＡ＝（画像属性値）」を受信すると、そのコマンドを受信側等へ転送する（処理２１８）。受信側等より信号「３５４」を受信すると、それを送信側等へ転送する（処理２１９）。
【００９９】
そして、送信側等より１ページ分の画像データと「．（ピリオド）」を受信すると、その受信した画像データ等を受信側等へ転送する（処理２２０）。受信側等より信号「２５０」を受信すると、それを送信側等へ転送する（処理２２１）。
【０１００】
このようにして、１ページ分の転送動作が終了すると、送信側等よりコマンド「ＭＡＩＬ　ＦＲＯＭ」を受信するかどうかを調べ（判断２２２）、判断２２２の結果がＹＥＳになるときには、コマンド「ＭＡＩＬ　ＦＲＯＭ」を受信側等へ送信し（処理２２３）、受信側等より信号「２５０」を受信すると、それを送信側等へ転送する（処理２２４）。
【０１０１】
次いで、送信側等よりコマンド「ＲＣＰＴ　ＴＯ」を受信すると、それを受信側等へ転送し（処理２２５）、受信側等より信号「２５０」を受信すると、それを送信側等へ転送する（処理２２６）。そして、処理２１８へ戻り、次のページの画像データの転送処理を行う。
【０１０２】
また、最終ページの送信動作が終了した場合で、送信側等よりコマンド「ＭＡＩＬ　ＦＲＯＭ」以外を受信した場合で、判断２２２の結果がＮＯになるときには、そのときにコマンド「ＱＵＩＴ］を受信したかどうかを調べる（判断２２７）。判断２２７の結果がＹＥＳになるときには、受信側等へコマンド「ＱＵＩＴ」を送信し、受信側等より信号「２２１」を受信し、受信側等との接続を切断する（処理２２８）。また、処理２２８と平行して、送信側等へ信号「２２１」を応答し（処理２２９）、送信側等との接続を切断する。
【０１０３】
また、受信したコマンドがコマンド「ＱＵＩＴ」ではない場合で、判断２２７の結果がＮＯになるときには、その段階から、標準的なＳＭＴＰシーケンス処理へ移行する（処理２３０）。
【０１０４】
また、送信側等より最初に受信したコマンド「ＲＣＰＴ　ＴＯ」にキーワード「Ｘ−ＲＥＬＡＹ」が含まれていない場合で、判断２０９の結果がＮＯになるときには、送信側等へ信号「２５０」を応答し（処理２３１）、その段階から、標準的なＳＭＴＰシーケンス処理へ移行する（処理２３２）。
【０１０５】
また、コマンド「ＥＨＬＯ」を送信した応答として、受信側等よりキーワード「Ｘ−ＲＥＬＡＹ」付きの信号「２５０」を受信していない場合で、判断２１３，２１４の結果がＮＯになるときには、それ以降、拡張Ｄ−ＳＭＴＰ機能を使用した通信を維持することができない。
【０１０６】
そこで、この場合には、受信側等で回復不能なエラーが生じた旨を通知するための信号「５０４」を送信側等へ応答し（処理２３５）、その一方で、受信側等へはコマンド「ＱＵＩＴ」を送信し、受信側等より信号「２２１」を受信し、受信側等との接続を切断する（処理２３６）。
【０１０７】
また、送信側等に対しては、コマンド待ちし（処理２３７）、それ以降、通常のＳＭＴＰシーケンス処理へ移行する（処理２３８）。
【０１０８】
図１４および図１５は、受信側の処理の一例を示している。
【０１０９】
ＭＴＡより接続要求を受信すると（処理３０１）、接続応答して、信号「２２０」をＭＴＡへ応答する（処理３０２）。
【０１１０】
ここで、ＭＴＡよりコマンド「ＥＨＬＯ」を受信するかどうかを調べ（判断３０３）、コマンド「ＨＥＬＯ」を受信した場合で、判断３０３の結果がＮＯになるときには、通常ＳＭＴＰシーケンス処理へ移行する（処理３０４）。
【０１１１】
また、判断３０３の結果がＹＥＳになるときには、キーワード「Ｘ−ＲＥＬＡＹ」付きの信号「２５０」をＭＴＡへ応答し（処理３０５）、ＭＴＡよりコマンド「ＭＡＩＬ　ＦＲＯＭ」を受信すると（処理３０６）、信号「２５０」をＭＴＡへ応答する（処理３０７）。
【０１１２】
次に、ＭＴＡよりコマンド「ＲＣＰＴ　ＴＯ」を受信すると（処理３０８）、そのコマンド「ＲＣＰＴ　ＴＯ」にオプション「Ｘ−ＲＥＬＡＹ＝ＩＦＡＸ」が含まれているかどうかを調べる（判断３０９）。
【０１１３】
判断３０９の結果がＹＥＳになるときには、拡張Ｄ−ＳＭＴＰ機能を使用した通信動作を行う。すなわち、能力オプション付きの信号「２５０」をＭＴＡへ応答し（処理２１０）、ＭＴＡよりコマンド「ＤＡＴＡ　Ｘ−ＲＥＬＡＹ＝ＩＦＡＸ：ＤＡＴＡ＝（画像属性値）」を受信すると、受信した画像属性値を保存し（処理３１１）、信号「３５４」をＭＴＡへ応答する。
【０１１４】
次いで、ＭＴＡより１ページ分の画像データと「．（ピリオド）」を受信すると（処理３１３）、信号「２５０」をＭＴＡへ応答する（処理３１４）。
【０１１５】
そして、ＭＴＡよりコマンド「ＭＡＩＬ　ＦＲＯＭ」を受信するかどうかを調べ（判断３１５）、判断３１５の結果がＹＥＳになるときには、信号「２５０」をＭＴＡへ応答し（処理３１６）、ＭＴＡよりコマンド「ＲＣＰＴ　ＴＯ」を受信すると（処理３１７）、信号「２５０」をＭＴＡへ応答する（処理３１８）。次に、処理３１１へ戻って、次のページの受信動作を行う。
【０１１６】
また、最終ページの送信動作が終了した場合で、ＭＴＡよりコマンド「ＭＡＩＬ　ＦＲＯＭ」以外を受信した場合で、判断３１５の結果がＮＯになるときには、そのときにコマンド「ＱＵＩＴ］を受信したかどうかを調べる（判断３１９）。判断３１９の結果がＹＥＳになるときには、信号「２２１」をＭＴＡへ応答し（処理３２０）、ＭＴＡとの切断を切断して（処理３２１）、このときの動作を終了する。
【０１１７】
また、受信したコマンドがコマンド「ＱＵＩＴ」ではない場合で、判断３１９の結果がＮＯになるときには、その段階から、標準的なＳＭＴＰシーケンス処理へ移行する（処理３２２）。
【０１１８】
また、ＭＴＡより最初に受信したコマンド「ＲＣＰＴ　ＴＯ」にキーワード「Ｘ−ＲＥＬＡＹ」が含まれていない場合で、判断３０９の結果がＮＯになるときには、送信側等へ信号「２５０」を応答し（処理３２５）、その段階から、標準的なＳＭＴＰシーケンス処理へ移行する（処理３２６）。
【０１１９】
なお、上述した実施例では、アナログ公衆回線網ＰＳＴＮに接続し、この公衆網を伝送路として用いてグループ３ファクシミリ伝送手順による画情報通信を行うファクシミリ通信機能も備えたネットワークファクシミリ装置について本発明を適用しているが、そのようなファクシミリ通信機能を備えていないネットワーク端末装置についても、本発明を同様に適用することができる。
【０１２０】
【発明の効果】
以上説明したように、本発明によれば、送信側と受信側の間に１つ以上のＭＴＡが中継装置として介在する場合でも、Ｄ−ＳＭＴＰ機能を利用したファクシミリ通信ができ、ページ単位に画情報送信の確認を行うことができるので、非常に便利であるという効果を得る。
【０１２１】
また、画像を転送する前に、送受信装置間で機器能力を交換し、それを用いて画情報送信を行うようにしているので、受信側の機器能力に合致した画像モードで送信画像を作成することができ、より品質の高い画像を送信することができるという効果も得る。
【０１２２】
また、ＴＩＦＦ−ＦＸフォーマットのヘッダ情報を除いた画像データそのものを、送信する画像データとして適用することができるので、通信時間を短縮することができ、ネットワークのトラフィックの増大を抑制することができるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】本実施例にかかる拡張Ｄ−ＳＭＴＰ機能を使用した場合の伝送手順を説明するためのタイムチャート。
【図４】本実施例にかかる拡張Ｄ−ＳＭＴＰ機能を使用した場合の伝送手順を説明するためのタイムチャート（続き１）。
【図５】本実施例にかかる拡張Ｄ−ＳＭＴＰ機能を使用した場合の伝送手順を説明するためのタイムチャート（続き２）。
【図６】本実施例にかかる拡張Ｄ−ＳＭＴＰ機能を使用した場合の伝送手順を説明するためのタイムチャート（続き３）。
【図７】ＳＭＴＰプロトコルレベルのコマンドシーケンスの一例を示した説明図。
【図８】能力値をＲＦＣ２８７９に記載された方法で記述した場合の一例を示した説明図。
【図９】送信側の処理の一例を示したフローチャート。
【図１０】送信側の処理の一例を示したフローチャート（続き）。
【図１１】ＭＴＡの処理の一例を示したフローチャート。
【図１２】ＭＴＡの処理の一例を示したフローチャート（続き１）。
【図１３】ＭＴＡの処理の一例を示したフローチャート（続き２）。
【図１４】受信側の処理の一例を示したフローチャート。
【図１５】受信側の処理の一例を示したフローチャート（続き）。
【符号の説明】
ＦＸ　ネットワークファクシミリ装置
【図１】
2004134838.tif 000003
【図２】
2004134838.tif 000004
【図３】
2004134838.tif 000005
【図４】
2004134838.tif 000006
【図５】
2004134838.tif 000007
【図６】
2004134838.tif 000008
【図７】
2004134838.tif 000009
【図８】
2004134838.tif 000010
【図９】
2004134838.tif 000011
【図１０】
2004134838.tif 000012
【図１１】
2004134838.tif 000013
【図１２】
2004134838.tif 000014
【図１３】
2004134838.tif 000015
【図１４】
2004134838.tif 000016
【図１５】
2004134838.tif 000017